(57)【要約】【課題】  本発明は、対称性に優れたカットを施しながらも、独創性を有し、かつ、審美性にも優れた新規のカットが施された宝石を提供することを目的とする。【解決手段】  宝石としてのダイヤモンド１は、テーブル２を備えたクラウン３と、キューレット４を備えたパビリオン５とを有するようにカットされている。また、ダイヤモンド１は、パビリオン５に形成されるメインファセット８の形状及び配置を工夫することで、ダイヤモンド１をテーブル２側から観察した際に、ハート模様を出現させることができるようになっている。【選択図】  図８
2015211728.tif 000002
【特許請求の範囲】
【請求項１】
テーブルを備えたクラウンと、キューレットを備えたパビリオンとを有し、当該クラウンと当該パビリオンとの間においてガードルが形成された宝石であって、
前記パビリオンにおいて、四個以上のメインファセットが形成されており、
当該メインファセットの全部又は一部が、三角形、四角形、又は、角の数六以上の多角形によって構成されており、
前記メインファセットのすべてにおいて、前記キューレットから前記メインファセットのうち前記ガードルに最も近い角の頂点までの距離が、前記キューレットから前記ガードルまでの距離の９０％未満となっており、
前記各メインファセットが、前記パビリオンを二等分するように前記キューレットを通る線のうちの少なくとも一つを対称軸として線対称となるように配置されていることを特徴とする宝石。
【請求項２】
テーブルを備えたクラウンと、キューレットを備えたパビリオンとを有し、当該クラウンと当該パビリオンとの間においてガードルが形成された宝石であって、
前記パビリオンにおいて、六個以上のメインファセットが形成されており、
当該メインファセットの全部又は一部が、角の数三以上の多角形によって構成されており、
前記メインファセットのすべてにおいて、前記キューレットから前記メインファセットのうち前記ガードルに最も近い角の頂点までの距離が、前記キューレットから前記ガードルまでの距離の９０％未満となっており、
前記各メインファセットが、前記パビリオンを二等分するように前記キューレットを通る線のうちの少なくとも一つを対称軸として線対称となるように配置されていることを特徴とする宝石。
【請求項３】
テーブルを備えたクラウンと、キューレットを備えたパビリオンとを有し、当該クラウンと当該パビリオンとの間においてガードルが形成された宝石であって、
前記パビリオンにおいて、八個以上のメインファセットが形成されており、
当該メインファセットの全部又は一部が、すべての内角の角度が異なる四角形、又は、すべての内角の角度が異なる角の数五以上の多角形によって構成されており、
前記メインファセットのすべてにおいて、前記キューレットから前記メインファセットのうち前記ガードルに最も近い角の頂点までの距離が、前記キューレットから前記ガードルまでの距離の９０％未満となっており、
前記各メインファセットが、前記パビリオンを二等分するように前記キューレットを通る線のうちの少なくとも一つを対称軸として線対称となるように配置されていることを特徴とする宝石。
【請求項４】
テーブルを備えたクラウンと、キューレットを備えたパビリオンとを有し、当該クラウンと当該パビリオンとの間においてガードルが形成された宝石であって、
前記パビリオンにおいて、八個のメインファセットが形成されており、
当該八個のメインファセットは、すべての内角の角度が異なる五角形からなる第一のメインファセット四個と、当該第一のメインファセットをなす五角形に対して線対称となる五角形からなる第二のメインファセット四個とによって構成されており、
前記第一のメインファセットと前記第二のメインファセットとは、前記パビリオンにおいて交互に配置されており、
前記第一のメインファセット及び前記第二のメインファセットをなす前記各五角形において、前記キューレットから前記ガードルに最も近い角の頂点までの距離が、前記キューレットから前記ガードルまでの距離の９０％未満となっていることを特徴とする宝石。
【請求項５】
テーブルを備えたクラウンと、キューレットを備えたパビリオンとを有し、当該クラウンと当該パビリオンとの間においてガードルが形成された宝石であって、
前記パビリオンにおいて、十個のメインファセットが形成されており、
当該十個のメインファセットは、すべての内角の角度が異なる五角形からなる第一のメインファセット五個と、当該第一のメインファセットをなす五角形に対して線対称となる五角形からなる第二のメインファセット五個とによって構成されており、
前記第一のメインファセットと前記第二のメインファセットとは、前記パビリオンにおいて交互に配置されており、
前記第一のメインファセット及び前記第二のメインファセットをなす前記各五角形において、前記キューレットから前記ガードルに最も近い角の頂点までの距離が、前記キューレットから前記ガードルまでの距離の９０％未満となっていることを特徴とする宝石。
【請求項６】
ダイヤモンドであることを特徴とする請求項１〜５に記載の宝石。
【発明の詳細な説明】
【技術分野】
【０００１】
本発明は、独創性を有し、かつ、審美性に優れたカットが施された宝石に関するものである。
【背景技術】
【０００２】
従来より、宝石、特にダイヤモンドにおいては、「ラウンドブリリアントカット」と呼ばれるカットが施されたものが一般的に知られている。図１は、当該カットが施されたダイヤモンド１を示したものであって、（Ａ）は平面図、（Ｂ）は底面図、また（Ｃ）は側面図をそれぞれ示している。そして、ダイヤモンド１は、図示されているように、テーブル（上側の平面）２を備えたクラウン３と、キューレット４を備えたパビリオン５と、クラウン３とパビリオン５との間においてラウンド（円形）カットされたガードル６とを有している。
【０００３】
なお、本来、カットされた宝石において、キューレットとは、パビリオン頂端部の欠損を防ぐために設けられる小さなカット面をいうが、本願の明細書及び特許請求の範囲等の記載においては、図１に示したような、カット面が無い、尖ったパビリオン頂端部（尖ったキューレット）も、キューレットに含まれるものとする。
【０００４】
以上のようなカットが施されたダイヤモンド１のうち、カットの対称性が特に優れたものを、ダイヤモンド１の上側（図１（Ａ）のテーブル２側）から観察すると、図２に示したような、八本のアロー（矢）７が見えることが知られている。なお、アロー７は、肉眼で視認することも可能であるが、特許文献１や特許文献２等に記載された「宝石用スコープ」を使用することによって、アロー７を、より明瞭に視認することができる。
【０００５】
そして、アロー７は、カットの対称性が特に優れた宝石でしか視認することができないため、アロー７を見せることは、高い品質を備えた宝石であることを証明する手段として広く利用されている。一方で、ラウンドブリリアントカットが、宝石カット技法の完成形の一つとされていることから、八本のアロー７が見えることについては、一般的によく知られたものとなってしまっている。
【０００６】
そのため、従来より、八本のアロー７とは異なる模様を見ることができるような宝石が種々提案されている。例えば、特許文献２では、アローの他にハート模様も視認できるダイヤモンドが、また、特許文献３では、八本ではなく、十本のアローを見ることができるダイヤモンドが開示されている。さらに、本願発明者も、特許文献４において、十字模様をみることができる宝石を過去に提案している。
【０００７】
本願発明者は、このような実情のもと、対称性に優れたカットを施しながらも、独創性を有し、かつ、審美性にも優れた新規のダイヤモンドを製造することについて、鋭意検討を重ねた。その結果、本願発明者は、パビリオンに形成されるメインファセットの形状や配置等を工夫することによって、前述したような特徴を有する、まったく新しいダイヤモンドが製造できる、という知見を得、本発明を創作するに至った。また、本願発明者は、本発明がダイヤモンド以外の宝石についても適用できるものであることについても確認した。
【先行技術文献】
【特許文献】
【０００８】
【特許文献１】特開平０６−１７４６４８号公報
【特許文献２】特開２０１０−２０１０４３号公報
【特許文献３】特開２００４−２９９３７０号公報
【特許文献４】特表２００８−５４１８００号公報
【発明の概要】
【発明が解決しようとする課題】
【０００９】
本発明は、対称性に優れたカットを施しながらも、独創性を有し、かつ、審美性にも優れた新規のカットが施された宝石を提供することを目的とする。
【課題を解決するための手段】
【００１０】
そのための手段として、本発明に係る宝石は、テーブルを備えたクラウンと、キューレットを備えたパビリオンとを有し、当該クラウンと当該パビリオンとの間においてガードルが形成された宝石であって、前記パビリオンにおいて、四個以上のメインファセットが形成されており、当該メインファセットの全部又は一部が、三角形、四角形、又は、角の数六以上の多角形によって構成されており、前記メインファセットのすべてにおいて、前記キューレットから前記メインファセットのうち前記ガードルに最も近い角の頂点までの距離が、前記キューレットから前記ガードルまでの距離の９０％未満となっており、前記各メインファセットが、前記パビリオンを二等分するように前記キューレットを通る線のうちの少なくとも一つを対称軸として線対称となるように配置されていることを特徴としている。
【００１１】
また、本発明に係る宝石は、テーブルを備えたクラウンと、キューレットを備えたパビリオンとを有し、当該クラウンと当該パビリオンとの間においてガードルが形成された宝石であって、前記パビリオンにおいて、六個以上のメインファセットが形成されており、当該メインファセットの全部又は一部が、角の数三以上の多角形によって構成されており、前記メインファセットのすべてにおいて、前記キューレットから前記メインファセットのうち前記ガードルに最も近い角の頂点までの距離が、前記キューレットから前記ガードルまでの距離の９０％未満となっており、前記各メインファセットが、前記パビリオンを二等分するように前記キューレットを通る線のうちの少なくとも一つを対称軸として線対称となるように配置されていることを特徴としている。
【００１２】
さらに、本発明に係る宝石は、テーブルを備えたクラウンと、キューレットを備えたパビリオンとを有し、当該クラウンと当該パビリオンとの間においてガードルが形成された宝石であって、前記パビリオンにおいて、八個以上のメインファセットが形成されており、当該メインファセットの全部又は一部が、すべての内角の角度が異なる四角形、又は、すべての内角の角度が異なる角の数五以上の多角形によって構成されており、前記メインファセットのすべてにおいて、前記キューレットから前記メインファセットのうち前記ガードルに最も近い角の頂点までの距離が、前記キューレットから前記ガードルまでの距離の９０％未満となっており、前記各メインファセットが、前記パビリオンを二等分するように前記キューレットを通る線のうちの少なくとも一つを対称軸として線対称となるように配置されていることを特徴としている。
【００１３】
また、本発明に係る宝石は、テーブルを備えたクラウンと、キューレットを備えたパビリオンとを有し、当該クラウンと当該パビリオンとの間においてガードルが形成された宝石であって、前記パビリオンにおいて、八個のメインファセットが形成されており、当該八個のメインファセットは、すべての内角の角度が異なる五角形からなる第一のメインファセット四個と、当該第一のメインファセットをなす五角形に対して線対称となる五角形からなる第二のメインファセット四個とによって構成されており、前記第一のメインファセットと前記第二のメインファセットとは、前記パビリオンにおいて交互に配置されており、前記第一のメインファセット及び前記第二のメインファセットをなす前記各五角形において、前記キューレットから前記ガードルに最も近い角の頂点までの距離が、前記キューレットから前記ガードルまでの距離の９０％未満となっていることを特徴としている。
【００１４】
さらに、本発明に係る宝石は、テーブルを備えたクラウンと、キューレットを備えたパビリオンとを有し、当該クラウンと当該パビリオンとの間においてガードルが形成された宝石であって、前記パビリオンにおいて、十個のメインファセットが形成されており、当該十個のメインファセットは、すべての内角の角度が異なる五角形からなる第一のメインファセット五個と、当該第一のメインファセットをなす五角形に対して線対称となる五角形からなる第二のメインファセット五個とによって構成されており、前記第一のメインファセットと前記第二のメインファセットとは、前記パビリオンにおいて交互に配置されており、前記第一のメインファセット及び前記第二のメインファセットをなす前記各五角形において、前記キューレットから前記ガードルに最も近い角の頂点までの距離が、前記キューレットから前記ガードルまでの距離の９０％未満となっていることを特徴としている。
【００１５】
また、本発明では、宝石がダイヤモンドであることも特徴としている。
【発明の効果】
【００１６】
本発明によれば、対称性に優れたカットを施しながらも、独創性を有し、かつ、審美性にも優れた新規のカットが施された宝石を提供することができる。
【図面の簡単な説明】
【００１７】
【図１】ラウンドブリリアントカットが施されたダイヤモンドの外観図
【図２】アロー７の発現の様子を示した図
【図３】アロー７の発現の様子を示した図
【図４】メインファセット８における反射光像Ｒ示した図
【図５】ダイヤモンド１における光の経路を示した図
【図６】アロー７の発現原理を示す図
【図７】アロー７の発現原理を示す図
【図８】本発明の実施形態に係るダイヤモンド１の外観図
【図９】ハート模様の写真
【図１０】ハート模様１３の発現の様子を示した図
【図１１】ハート模様１３の発現原理を示す図
【図１２】ハート模様１３の発現原理を示す図
【図１３】ハート模様１３の発現原理を示す図
【図１４】ハート模様１３の発現原理を示す図
【図１５】ハート模様１３の発現原理を示す図
【図１６】四つ葉のクローバー模様を出現させるためのパビリオン５を示す図
【図１７】四つ葉のクローバー模様の発現の様子を示した図
【図１８】四つ葉のクローバー模様の写真
【図１９】桃の花模様を出現させるためのパビリオン５を示す図
【図２０】桃の花模様の発現の様子を示した図
【図２１】桃の花模様の写真
【図２２】桜の花模様を出現させるためのパビリオン５を示す図
【図２３】桜の花模様の発現の様子を示した図
【図２４】桜の花模様の写真
【図２５】蝶の模様を出現させるためのパビリオン５を示す図
【図２６】蝶の模様の発現の様子を示した図
【図２７】武田家の家紋（武田菱）を出現させるためのパビリオン５を示す図
【図２８】武田家の家紋（武田菱）の発現の様子を示した図
【図２９】水仙の花を出現させるためのパビリオン５を示す図
【図３０】水仙の花の発現の様子を示した図
【図３１】ガードル６が四角形のダイヤモンド１を示した図
【図３２】ガードル６が楕円形のダイヤモンド１を示した図。
【図３３】四つ葉のクローバー模様における反射光像Ｒの発現原理を示した図
【発明を実施するための形態】
【００１８】
以下、本発明に係る宝石を実施するための形態について説明する。なお、本発明の理解において、従来のラウンドブリリアントカットが施されたダイヤモンドにおけるアローの発現原理、特に、アローのシャフト部分の発現原理を理解することが有用であると認められるため、以下では、最初に、このアローのシャフト部分の発現原理について説明する。
【００１９】
図１は、当該カットが施されたダイヤモンド１を示したものであって、（Ａ）は平面図、（Ｂ）は底面図、また（Ｃ）は側面図をそれぞれ示している。そして、ダイヤモンド１は、図示されているように、テーブル（上側の平面）２を備えたクラウン３と、キューレット４を備えたパビリオン５と、クラウン３とパビリオン５との間においてラウンド（円形）カットされたガードル６とを有している。また、図１（Ｂ）において、８は、パビリオン５に形成された八個のメインファセットを、９は、パビリオン５に形成された１６個のロワーガードルファセットを示している。
【００２０】
図２は、ダイヤモンド１の上側（図１（Ａ）のテーブル２側）から観察した際の、八本のアロー７の発現の様子を示したものである。各アロー７は、シャフト部分７ａと矢じり部分７ｂとから構成されており、シャフト部分７ａは、図示されているように、テーブル２の内側において視認されるようになっている。なお、以下、シャフト部分７ａの発現原理の説明においては、ダイヤモンド１における光の反射によって最終的に視認できなくなってしまうアロー７の根元付近（ダイヤモンド１の中心付近）についても、説明の便宜上、図３に示したように、視認できるものとして取り扱う。
【００２１】
ここで、テーブル２の内側において視認されるシャフト部分７ａは、図４に示したように、メインファセット８における反射光像Ｒによって与えられている。なお、図３の矢じり部分７ｂの形状が、図４の反射光像Ｒの形状と異なるのは、これが、反射光像Ｒ以外の反射光（図示せず）も含んだものによって与えられているからである。反射光像Ｒ以外の反射光についての説明は、ここでは不要と認められるので省略する。
【００２２】
メインファセット８における反射光像Ｒは、基本的に、次のような原理によって映し出される。まず、図５に示したように、ダイヤモンド１のクラウン３側のファセット１０から、その内部へと入射した光Ｌは、ファセット１０の斜度、及び、ダイヤモンド固有の屈折率の影響を受け、第一の反射点１１、及び、第二の反射点１２において続けて反射し、テーブル２の内側からダイヤモンド１の外部へと出射することになる。
【００２３】
図６は、パビリオン５における、前記二回の反射を示したものである。図示したように、第一の反射点１１が存在することになるメインファセット８ａにおいて反射した光は、その後、キューレット４を中心として対向する位置であって、第二の反射点１２が存在することになるメインファセット８ｂにおいて反射することになる。
【００２４】
この際、メインファセット８ａとメインファセット８ｂとが、それぞれ斜めに向かい合う関係にあるため、メインファセット８ｂにおける反射光像Ｒは、図６に示したように、その長手方向（図６中の左右方向）において特に縮小し、メインファセット８ｂの形状よりも小さいものとなる。
【００２５】
以上のような光の反射が、図７で示したように、八個すべてのメインファセット８において起こることになる。このようにして生じた反射光像Ｒを、ダイヤモンド１の上側から観察することで、八本のアロー７のシャフト部分７ａを、テーブル２の内側において視認することができる。これが、従来のラウンドブリリアントカットが施されたダイヤモンドにおける、アロー７のシャフト部分７ａの発現原理である。
【００２６】
次に、本発明の実施形態について説明する。図８は、本発明に係る宝石としてのダイヤモンド１を示したものであって、（Ａ）は平面図、（Ｂ）は底面図をそれぞれ示している。本実施形態に係るダイヤモンド１も、従来のラウンドブリリアントカットが施されたダイヤモンドと同様に、テーブル２を備えたクラウン３と、キューレット４を備えたパビリオン５とを有するようにカットされている。また、ここでは図示しないが、このダイヤモンド１も、クラウン３とパビリオン５との間において、ラウンドカットされたガードルを有している。
【００２７】
本実施形態に係るダイヤモンド１は、図８（Ｂ）に示したように、パビリオン５に形成されるメインファセット８の形状及び配置を工夫することで、従来のアローとは異なる模様を出現させることができるようになっている。図９に、本実施形態に係るダイヤモンド１を、宝石用スコープを使用して、ダイヤモンド１の上側（図８（Ａ）のテーブル２側）から撮影した写真を示した。なお、図８に示したダイヤモンド１において視認できる模様は、ハート形をモチーフとしている。以下、このハート模様の出現原理について、詳しく説明する。
【００２８】
図１０は、ダイヤモンド１の上側から観察した際の、ハート模様１３の発現の様子を示したものであって、ハート模様１３は、図示されているように、テーブル２の内側において、視認されるようになっている。
【００２９】
ここで、テーブル２の内側において視認されるハート模様１３は、図１１に示したように、パビリオン５に形成されたメインファセット８における反射光像Ｒによって与えられており、この反射光像Ｒは、基本的に、次のような原理によって映し出されている。まず、図５に示したように、ダイヤモンド１のクラウン３側のファセット１０から、その内部へと入射した光Ｌは、ファセット１０の斜度、及び、ダイヤモンド固有の屈折率の影響を受け、第一の反射点１１、及び、第二の反射点１２において続けて反射し、テーブル２からダイヤモンド１の外部へと出射することになる。
【００３０】
図１２は、パビリオン５における、前記二回の反射を示したものである。図１２に示したように、第一の反射点１１が存在することになるメインファセット８ａにおいて反射した光は、その後、キューレット４を中心として対向する位置であって、第二の反射点１２が存在することになるメインファセット８ｂにおいて反射することになる。
【００３１】
この際、メインファセット８ａとメインファセット８ｂとが、それぞれ斜めに向かい合う関係にあるため、メインファセット８ｂにおける反射光像Ｒは、図１２に示したように、その長手方向（図１２中の左右方向）において特に縮小し、メインファセット８ｂの形状よりも小さいものとなる。
【００３２】
以上のような光の反射が、図１３〜図１５で示したように、それぞれ形状・大きさの異なる各メインファセット８ａ・８ｂにおいて起こることになる。このようにして生じたすべての反射光像Ｒを、ダイヤモンド１の上側から観察することで、図１０に示したようなハート模様１３を視認することができる。本実施形態に係るダイヤモンド１は、このような原理によってハート模様１３を発現させるようになっている。
【００３３】
なお、以上の実施形態においては、クラウン３側のファセットの形状・配置も特定されている（図８（Ａ）参照）が、本発明において、模様の出現は、メインファセット８の形状・配置によって定まるため、クラウン３側のファセットの形状・配置は特に限定されない。クラウン３側においては、少なくとも、テーブル２と、従来のものと同様の斜度（例えば、ダイヤモンドの場合は３１°〜３６°）のあるファセットが形成されていれば構わない。
【００３４】
本願発明者は、以上に説明したような発現原理を考慮し、パビリオン５のメインファセット８の形状・配置を工夫することで、様々な模様を出現させられることを見出した。以下に、その一例を示す。なお、以下の例は、後述する本願発明の特徴を具備することによって得られる宝石の一例を示したものであるので、当然ながら、本願発明に係る技術的思想は、これらに限定されるものではない。
【００３５】
例えば、図１６に示したように、パビリオン５のメインファセット８を形成することによって、テーブル２側からダイヤモンドを見た際に、図１７に示したような四つ葉のクローバーをモチーフとした模様を出現させることができる。図１８は、この四つ葉のクローバー模様を、宝石用スコープを使用して、テーブル２側から撮影した写真を示したものである。加えて、参考までに、図３３（Ａ）〜（Ｂ）に、この四つ葉のクローバー模様における反射光像Ｒの発現原理を簡単に示した。
【００３６】
また、図１９に示したように、パビリオン５のメインファセット８を形成することによって、テーブル２側からダイヤモンドを見た際に、図２０に示したような桃の花をモチーフとした模様を出現させることができる。図２１は、この桃の花の模様を、宝石用スコープを使用して、テーブル２側から撮影した写真を示したものである。
【００３７】
さらに、図２２に示したように、パビリオン５のメインファセット８を形成することによって、テーブル２側からダイヤモンドを見た際に、図２３に示したような桜の花をモチーフとした模様を出現させることができる。図２４は、この桜の花の模様を、宝石用スコープを使用して、テーブル２側から撮影した写真を示したものである。
【００３８】
また、図２５に示したように、パビリオン５のメインファセット８を形成することによって、テーブル２側からダイヤモンドを見た際に、図２６に示したような蝶をモチーフとした模様を出現させることができる。なお、図２６においては、クラウン２側の線については省略してある。
【００３９】
また、図２７に示したように、パビリオン５のメインファセット８を形成することによって、テーブル２側からダイヤモンドを見た際に、図２８に示したような武田家の家紋（武田菱）をモチーフとした模様を出現させることができる。なお、図２８においても、クラウン２側の線については省略してある。
【００４０】
さらに、図２９に示したように、パビリオン５のメインファセット８を形成することによって、テーブル２側からダイヤモンドを見た際に、図３０に示したような水仙の花をモチーフとした模様を出現させることができる。なお、図３０においても、クラウン２側の線については省略してある。
【００４１】
なお、以上の各実施形態において、メインファセット８は、従来のラウンドブリリアントカットが施されたダイヤモンドのメインファセットと異なり、ガードルに接する位置まで延びるようには形成されていない。これは、メインファセット８が、ガードルに接する位置まで延びると、テーブル側から反射光像Ｒを見る際に、反射光像Ｒのガードル側の先端が、クラウン３側のファセットによって隠れてしまい、反射光像Ｒ全体をテーブルの内側において視認することができなくなってしまうからである。そのため、以上の各実施形態においては、メインファセット８のすべてにおいて、キューレット４からメインファセット８のうちガードル６に最も近い角の頂点（例えば、図８（Ｂ）の８ｐ）までの距離が、キューレット４からガードル６までの距離の９０％未満となっている。
【００４２】
また、以上の各実施形態においては、宝石としてダイヤモンドを使用しているので、クラウンのファセットの斜度は、ラウンドブリリアントカットのものと同様、テーブル２を構成する平面に対して、３１°〜３６°の範囲内とすることが好ましい。また、パビリオン５におけるメインファセット８の斜度は、３９°〜４２°の範囲内とすることが好ましい。これらの角度の範囲内とすることで、経験上、テーブル２から出射する反射光が多く得られ、より輝きのあるダイヤモンドを得られると認められるからである。
【００４３】
さらに、以上の各実施形態において、メインファセット８以外のファセットであって、パビリオン５に存在し、かつ、メインファセット８よりもガードルの近くに位置するファセットの斜度は、メインファセット８の斜度よりも、０．５°〜３．０°大きくすることが好ましい。これは、斜度の差が０．５°未満であると、メインファセット８と、それ以外のファセットの境界が不明確となり、鮮明な反射光像Ｒを得られないからである。また、斜度の差が３．０°を超えてしまうと、ダイヤモンド全体が縦長となり、その外観の美しさが損なわれてしまうからである。
【００４４】
また、以上の各実施形態においては、宝石として、ダイヤモンドを使用しているが、当然ながら、ダイヤモンド以外の宝石であっても、本発明を実施することは可能である。この場合は、使用しようとする宝石に固有の屈折率に応じて、クラウン側のファセットの斜度、及び、メインファセットを含むパビリオン側ファセットの斜度を、それぞれ適宜調整すれば良い。
【００４５】
さらに、以上の各実施形態においては、テーブル２の内側において、メインファセット８における反射光像Ｒの全体が視認できるよう、テーブルの大きさは、ダイヤモンド１の直径、すなわち、ガードルの直径の４０％〜７０％であることが好ましい。なお、テーブル２の大きさや、ダイヤモンド１における光の反射等に関係して、出現する模様の中心付近（テーブル２の中心付近）において、模様の一部が視認できなくなってしまう場合もあるが、本発明では、この点は特に問題無いものとして取り扱う。この部分が極小であったり、出現する模様の一部として認められる等、特に出現する模様の審美性には影響を与えないと認められるからである。また、当然ながら、ダイヤモンド１全体の形態バランスの観点から、テーブル２面の中心位置は、キューレット４の中心を通る軸線と一致することが好ましい。
【００４６】
さらに、以上の実施形態においては、ガードルがラウンドカットされた宝石について説明されているが、本発明は、ガードルがラウンドカットされた宝石だけでなく、四角形や楕円形等、ガードルが、ラウンド（円）以外の形状をした宝石であっても、模様を出現させることができる。これは、本発明において出現する模様が、メインファセット８の形状・配置によって定まるからである。
【００４７】
例えば、図３１に示したように、ダイヤモンド１のガードル６が四角形をしていても、メインファセット８の形状・配置が、図８に示したハート模様を出現させるダイヤモンド１と同じであれば、テーブル２の内側には、ハート模様が出現することになる。また、図３２に示したように、ダイヤモンド１のガードル６が楕円形をしていても、メインファセット８の形状・配置が、図８に示したハート模様を出現させるダイヤモンド１と同じであれば、テーブル２の内側には、ハート模様が出現することになる。
【００４８】
ここで、以上に説明した本願発明の特徴をまとめると、以下の通りとなる。
【００４９】
まず、本願発明に係る宝石は、テーブルを備えたクラウンと、キューレットを備えたパビリオンとを有し、当該クラウンと当該パビリオンとの間において、ガードルが形成されている。
【００５０】
また、本願発明に係る宝石は、前記パビリオンにおいて、四個以上のメインファセットが形成されている。なお、本願発明において、メインファセットとは、所望の模様を出現させるための反射光像を映し出すファセットであって、パビリオンに存在し、角の数三以上（三角形以上）の多角形によって構成されるものをいう。
【００５１】
さらに、本願発明のメインファセットは、基本的には、その一端がキューレットに接している。ただし、図１９に示した桃の花の模様や、図２９に示した水仙の花のように、キューレット４と接するようにして小さなカットが施されたサブファセット１４が存在し、これによって、メインファセット８の一端が、キューレット４に接してないものも例外的に含まれる。ただし、この場合であっても、桃の花や水仙の花の模様を出現させるための反射光像を映し出しているものが、メインファセットとなる。
【００５２】
なお、以上のように、パビリオン５においてサブファセット１４が存在する場合、サブファセット１４の斜度は、メインファセット８の斜度よりも、２°〜４°小さくすることが好ましい。これは、斜度を２°〜４°小さくすることによって、サブファセット１４における反射光が、反射光像Ｒに入ってしまうことが無く、メインファセット８において、反射光像Ｒをより鮮明に得ることができるからである。
【００５３】
本願発明のメインファセットは、すべて、キューレットからメインファセットのうちガードルに最も近い角の頂点までの距離が、キューレットからガードルまでの距離の９０％未満となっている。これは、前述の通り、メインファセットが、ガードル位置まで延びると、テーブル側から反射光像を見る際に、反射光像Ｒのガードル側の先端が、クラウン側のファセットによって隠れてしまい、反射光像Ｒ全体を視認することができなくなってしまうからである。
【００５４】
さらに、本願発明のメインファセットは、パビリオンを二等分するようにキューレットを通る線のうち、少なくとも一つ以上の線を対称軸として線対称となるように配置されている。これは、少なくとも一つ以上は対称軸が無いと、何かをモチーフとした意味のある模様であって、審美性に優れたものを出現させることはできない、と認められるからである。
【００５５】
また、本願発明に係る宝石は、次のような特徴を有する宝石ということもできる。
【００５６】
テーブルを備えたクラウンと、キューレットを備えたパビリオンとを有し、当該クラウンと当該パビリオンとの間においてガードルが形成された宝石であって、
前記パビリオンにおいて、六個以上のメインファセットが形成されており、
当該メインファセットの全部又は一部が、角の数三以上の多角形によって構成されており、
前記メインファセットのすべてにおいて、前記キューレットから前記メインファセットのうち前記ガードルに最も近い角の頂点までの距離が、前記キューレットから前記ガードルまでの距離の９０％未満となっており、
前記各メインファセットが、前記パビリオンを二等分するように前記キューレットを通る線のうちの少なくとも一つを対称軸として線対称となるように配置されていることを特徴とする宝石。
【００５７】
また、本願発明に係る宝石は、次のような特徴を有する宝石ということもできる。
【００５８】
テーブルを備えたクラウンと、キューレットを備えたパビリオンとを有し、当該クラウンと当該パビリオンとの間においてガードルが形成された宝石であって、
前記パビリオンにおいて、八個以上のメインファセットが形成されており、
当該メインファセットの全部又は一部が、すべての内角の角度が異なる四角形、又は、すべての内角の角度が異なる角の数五以上の多角形によって構成されており、
前記メインファセットのすべてにおいて、前記キューレットから前記メインファセットのうち前記ガードルに最も近い角の頂点までの距離が、前記キューレットから前記ガードルまでの距離の９０％未満となっており、
前記各メインファセットが、前記パビリオンを二等分するように前記キューレットを通る線のうちの少なくとも一つを対称軸として線対称となるように配置されていることを特徴とする宝石。
【００５９】
また、前述した実施形態のうち、四つ葉のクローバーをモチーフとした模様を出現させることができる宝石については、特に、次のような特徴を有する宝石ということもできる。
【００６０】
テーブルを備えたクラウンと、キューレットを備えたパビリオンとを有し、当該クラウンと当該パビリオンとの間においてガードルが形成された宝石であって、
前記パビリオンにおいて、十個のメインファセットが形成されており、
当該十個のメインファセットは、すべての内角の角度が異なる五角形からなる第一のメインファセット五個と、当該第一のメインファセットをなす五角形に対して線対称となる五角形からなる第二のメインファセット五個とによって構成されており、
前記第一のメインファセットと前記第二のメインファセットとは、前記パビリオンにおいて交互に配置されており、
前記第一のメインファセット及び前記第二のメインファセットをなす前記各五角形において、前記キューレットから前記ガードルに最も近い角の頂点までの距離が、前記キューレットから前記ガードルまでの距離の９０％未満となっていることを特徴とする宝石。
【００６１】
さらに、前述した実施形態のうち、桃の花、及び、桜の花をモチーフとした模様を出現させることができる宝石については、特に、次のような特徴を有する宝石ということもできる。
【００６２】
テーブルを備えたクラウンと、キューレットを備えたパビリオンとを有し、当該クラウンと当該パビリオンとの間においてガードルが形成された宝石であって、
前記パビリオンにおいて、十個のメインファセットが形成されており、
当該十個のメインファセットは、すべての内角の角度が異なる五角形からなる第一のメインファセット五個と、当該第一のメインファセットをなす五角形に対して線対称となる五角形からなる第二のメインファセット五個とによって構成されており、
前記第一のメインファセットと前記第二のメインファセットとは、前記パビリオンにおいて交互に配置されており、
前記第一のメインファセット及び前記第二のメインファセットをなす前記各五角形において、前記キューレットから前記ガードルに最も近い角の頂点までの距離が、前記キューレットから前記ガードルまでの距離の９０％未満となっていることを特徴とする宝石。
【産業上の利用可能性】
【００６３】
以上に説明したように、本発明によれば、対称性に優れたカットを施しながらも、独創性を有し、かつ、審美性にも優れた新規のカットが施された宝石を、提供することができる。
【符号の説明】
【００６４】
１  ：ラウンドブリリアントカットが施されたダイヤモンドの外観図
２  ：テーブル
３  ：クラウン
４  ：キューレット
５  ：パビリオン
６  ：ガードル
７  ：アロー
７ａ：アロー７のシャフト部分
７ｂ：アロー７の矢じり部分
８  ：メインファセット
８ａ：第一の反射点１１が存在することになるメインファセット
８ｂ：第二の反射点１２が存在することになるメインファセット
８ｐメインファセット８のうちガードル６に最も近い角の頂点
９  ：ロワーガードルファセット
１０：ファセット
１１：第一の反射点
１２：第二の反射点
１３：ハート模様
１４：サブファセット
Ｌ  ：入射した光
Ｒ  ：反射光像
【図１】
2015211728.tif 000003
【図５】
2015211728.tif 000004
【図８】
2015211728.tif 000005
【図１６】
2015211728.tif 000006
【図２５】
2015211728.tif 000007
【図２７】
2015211728.tif 000008
【図２９】
2015211728.tif 000009
【図３２】
2015211728.tif 000010
【図２】
2015211728.tif 000011
【図３】
2015211728.tif 000012
【図４】
2015211728.tif 000013
【図６】
2015211728.tif 000014
【図７】
2015211728.tif 000015
【図９】
2015211728.tif 000016
【図１０】
2015211728.tif 000017
【図１１】
2015211728.tif 000018
【図１２】
2015211728.tif 000019
【図１３】
2015211728.tif 000020
【図１４】
2015211728.tif 000021
【図１５】
2015211728.tif 000022
【図１７】
2015211728.tif 000023
【図１８】
2015211728.tif 000024
【図１９】
2015211728.tif 000025
【図２０】
2015211728.tif 000026
【図２１】
2015211728.tif 000027
【図２２】
2015211728.tif 000028
【図２３】
2015211728.tif 000029
【図２４】
2015211728.tif 000030
【図２６】
2015211728.tif 000031
【図２８】
2015211728.tif 000032
【図３０】
2015211728.tif 000033
【図３１】
2015211728.tif 000034
【図３３】
2015211728.tif 000035
【手続補正書】
【提出日】平成26年11月7日(2014.11.7)
【手続補正１】
【補正対象書類名】特許請求の範囲
【補正対象項目名】全文
【補正方法】変更
【補正の内容】
【特許請求の範囲】
【請求項１】
テーブルを備えたクラウンと、キューレットを備えたパビリオンとを有し、当該クラウンと当該パビリオンとの間においてガードルが形成された宝石であって、
前記パビリオンにおいて、四個のメインファセットが形成されており、
当該メインファセットの全部又は一部が、三角形、四角形、又は、角の数六以上の多角形によって構成されており、
前記メインファセットのすべてにおいて、前記キューレットから前記メインファセットのうち前記ガードルに最も近い角の頂点までの距離が、前記キューレットから前記ガードルまでの距離の９０％未満となっており、
前記各メインファセットが、前記パビリオンを二等分するように前記キューレットを通る線のうちの少なくとも一つを対称軸として線対称となるように配置されていることを特徴とする宝石。
【請求項２】
テーブルを備えたクラウンと、キューレットを備えたパビリオンとを有し、当該クラウンと当該パビリオンとの間においてガードルが形成された宝石であって、
前記パビリオンにおいて、六個のメインファセットが形成されており、
当該メインファセットの全部又は一部が、角の数三以上の多角形によって構成されており、
前記メインファセットのすべてにおいて、前記キューレットから前記メインファセットのうち前記ガードルに最も近い角の頂点までの距離が、前記キューレットから前記ガードルまでの距離の９０％未満となっており、
前記各メインファセットが、前記パビリオンを二等分するように前記キューレットを通る線のうちの少なくとも一つを対称軸として線対称となるように配置されていることを特徴とする宝石。
【請求項３】
テーブルを備えたクラウンと、キューレットを備えたパビリオンとを有し、当該クラウンと当該パビリオンとの間においてラウンドカットされたガードルが形成された宝石であって、
前記パビリオンにおいて、八個以上のメインファセットが形成されており、
当該メインファセットの全部又は一部が、すべての内角の角度が異なる四角形、又は、すべての内角の角度が異なる角の数五以上の多角形によって構成されており、
前記メインファセットのすべてにおいて、前記キューレットから前記メインファセットのうち前記ガードルに最も近い角の頂点までの距離が、前記キューレットから前記ガードルまでの距離の９０％未満となっており、
前記各メインファセットが、前記パビリオンを二等分するように前記キューレットを通る線のうちの少なくとも一つを対称軸として線対称となるように配置されていることを特徴とする宝石。
【請求項４】
テーブルを備えたクラウンと、キューレットを備えたパビリオンとを有し、当該クラウンと当該パビリオンとの間においてガードルが形成された宝石であって、
前記パビリオンにおいて、八個のメインファセットが形成されており、
当該八個のメインファセットは、すべての内角の角度が異なる五角形からなる第一のメインファセット四個と、当該第一のメインファセットをなす五角形に対して線対称となる五角形からなる第二のメインファセット四個とによって構成されており、
前記第一のメインファセットと前記第二のメインファセットとは、前記パビリオンにおいて交互に配置されており、
前記第一のメインファセット及び前記第二のメインファセットをなす前記各五角形において、前記キューレットから前記ガードルに最も近い角の頂点までの距離が、前記キューレットから前記ガードルまでの距離の９０％未満となっていることを特徴とする宝石。
【請求項５】
テーブルを備えたクラウンと、キューレットを備えたパビリオンとを有し、当該クラウンと当該パビリオンとの間においてガードルが形成された宝石であって、
前記パビリオンにおいて、十個のメインファセットが形成されており、
当該十個のメインファセットは、すべての内角の角度が異なる五角形からなる第一のメインファセット五個と、当該第一のメインファセットをなす五角形に対して線対称となる五角形からなる第二のメインファセット五個とによって構成されており、
前記第一のメインファセットと前記第二のメインファセットとは、前記パビリオンにおいて交互に配置されており、
前記第一のメインファセット及び前記第二のメインファセットをなす前記各五角形において、前記キューレットから前記ガードルに最も近い角の頂点までの距離が、前記キューレットから前記ガードルまでの距離の９０％未満となっていることを特徴とする宝石。
【請求項６】
ダイヤモンドであることを特徴とする請求項１〜５に記載の宝石。
【手続補正書】
【提出日】平成27年4月28日(2015.4.28)
【手続補正１】
【補正対象書類名】特許請求の範囲
【補正対象項目名】全文
【補正方法】変更
【補正の内容】
【特許請求の範囲】
【請求項１】
テーブルを備えたクラウンと、キューレットを備えたパビリオンとを有し、当該クラウンと当該パビリオンとの間においてラウンドカットされたガードルが形成された宝石であって、
前記パビリオンにおいて、八個以上のメインファセットが形成されており、
当該メインファセットの全部又は一部が、すべての内角の角度が異なる四角形、又は、すべての内角の角度が異なる角の数五以上の多角形によって構成されており、
前記メインファセットのすべてにおいて、前記キューレットから前記メインファセットのうち前記ガードルに最も近い角の頂点までの距離が、前記キューレットから前記ガードルまでの距離の９０％未満となっており、
前記各メインファセットが、前記パビリオンを二等分するように前記キューレットを通る線のうちの少なくとも一つを対称軸として線対称となるように配置されていることを特徴とする宝石。
【請求項２】
テーブルを備えたクラウンと、キューレットを備えたパビリオンとを有し、当該クラウンと当該パビリオンとの間においてガードルが形成された宝石であって、
前記パビリオンにおいて、八個のメインファセットが形成されており、
当該八個のメインファセットは、すべての内角の角度が異なる五角形からなる第一のメインファセット四個と、当該第一のメインファセットをなす五角形に対して線対称となる五角形からなる第二のメインファセット四個とによって構成されており、
前記第一のメインファセットと前記第二のメインファセットとは、前記パビリオンにおいて交互に配置されており、
前記第一のメインファセット及び前記第二のメインファセットをなす前記各五角形において、前記キューレットから前記ガードルに最も近い角の頂点までの距離が、前記キューレットから前記ガードルまでの距離の９０％未満となっていることを特徴とする宝石。
【請求項３】
テーブルを備えたクラウンと、キューレットを備えたパビリオンとを有し、当該クラウンと当該パビリオンとの間においてガードルが形成された宝石であって、
前記パビリオンにおいて、十個のメインファセットが形成されており、
当該十個のメインファセットは、すべての内角の角度が異なる五角形からなる第一のメインファセット五個と、当該第一のメインファセットをなす五角形に対して線対称となる五角形からなる第二のメインファセット五個とによって構成されており、
前記第一のメインファセットと前記第二のメインファセットとは、前記パビリオンにおいて交互に配置されており、
前記第一のメインファセット及び前記第二のメインファセットをなす前記各五角形において、前記キューレットから前記ガードルに最も近い角の頂点までの距離が、前記キューレットから前記ガードルまでの距離の９０％未満となっていることを特徴とする宝石。
【請求項４】
ダイヤモンドであることを特徴とする請求項１〜３に記載の宝石。